(57)【要約】      （修正有）【課題】移動型冷房機を狭い室内で使用しても、放熱器から室内への放熱を少なく出来て、かつ自分でも簡単に設置できる冷房装置を提供する。【解決手段】圧縮された冷媒を冷やす放熱器の冷却手段に、水が沸騰した時の気化熱を使用する冷房機と、室外で蒸気を水に変える手軽な室外部を接続するパイプに軟らかいプラスチックを用いて、簡単に移設を可能にした簡易移動型冷房装置。また、上記の簡易移動型冷房装置で空気中から回収した水を冷却水と一緒にし、上記室外部から外部に水（または水蒸気）を捨てるようにした冷房装置。【選択図】  図１
2006046881.tif 000002
【特許請求の範囲】
【請求項１】
圧縮された冷媒を冷やす手段に水が沸騰した時の気化熱を使用する冷房機と、冷房機の水蒸気を室外部に送る蒸気パイプと、水蒸気を外気で冷やし液化する室外部と室外部で冷やされ水になった冷却水を冷房機に送る冷却水回収パイプを持つ簡易型冷房システムにおいて、上記蒸気パイプと上記冷却水回収パイプに軟らかいプラスチックの管を用いたことを特徴とする簡易冷房システム。
【請求項２】
上記冷房システムで空気中から回収した水を冷却水と一緒にし、冷却水が既定値を超えると、上記室外部から外部に水を捨てるようにした簡易冷システム。
【発明の詳細な説明】
【技術分野】
【０００１】この発明は家庭の部屋を冷房する装置（クーラー）に関するものである。
【背景の技術】
【０００２】従来の家庭用冷房機には設置型と移動型があった。設置型は室外機を持ち室外機で圧縮して凝縮した冷媒を室内機で蒸発させ、その気化熱で室温を下げていた。
そのため、室外機と室内機を結ぶパイプが必要で、このパイプには圧縮された冷媒が通るため強い強度と気密性が必要で、通常は金属製のパイプを配管していて、簡単に設置や移動が出来ず、設置する場合などは専門の業者に依頼しなければならなかった。
【０００３】また、移動型は室外機を持たないので内部に貯えた水を気化させて気化熱で温度を下げたり、一方の方向には冷気を吐き出すがもう一方には暖気を吐き出すようになっていた。いずれの場合も室外に熱を出す手段を持ってないので、狭い部屋で長時間使用していると、暖気が部屋内に立ち込め効果が無くなってしまった。
【発明の開示】
【発明が解決しようとする課題】
【０００４】そこで、狭い部屋でも使用でき、しかも業者に頼らずに自分で簡単に設置できる冷房装置が望まれていた。
【課題を解決するための手段】
【０００５】図１は本発明の簡易移動型冷房装置を表す。これは、１４の冷房機と１６の室外部（室外モジュール）とそれを結ぶ蒸気パイプ７と冷却水回収パイプ９からなっている。冷房機はキャスター付きの小型のもので押すと簡単に移動できるし、室外部も数キログラム以下の軽いもので誰でも持ち運べる。また、蒸気パイプや冷却水回収パイプは軟らかいビニールで出来ていて自由に曲げることが出来るので移動や設置は普通の人が十分出来る設計になっている。【０００６】この図１を詳細に説明すると、１４の冷房機は室内の空気を冷やす冷房用ラジエタ１と冷房用ラジエタから出てきた冷媒を圧縮する圧縮機２と圧縮された冷媒を冷却する冷却用ラジエタ３と、冷却用ラジエタと冷房用ラジエタを結び圧力差を作る誇張弁４で通常の冷房装置を構成している。【０００７】冷却用ラジエタは、冷却水タンク５の冷却水１２を供給する冷却水ポンプ６とつながれ、また蒸気パイプ７を通して室外部１６の放熱器８に接続され、放熱器から出た冷却水を冷却水タンクに導くための冷却水回収パイプ９に接続されている。【０００８】また、放熱器８には余剰水廃棄詮１５が設置されていて、水蒸気の圧力が上がり過ぎると水蒸気（又は水）を外に捨てるようにしてあり、冷却水回収パイプには調整詮１０が付いていて、冷却水タンクの水が多すぎるとタンクに帰る水を止める。（止めると圧力が上がり余剰水廃棄詮から捨てられる。）【０００９】これは、冷房用ラジエタ１からは冷房中に空気中の水蒸気が凝結した水が露回収パイプ１１を通って冷却水タンク５に溜めるが、冷却水１２が溢れそうになった時に余剰水を捨てるのに使う。【００１０】この簡易移動型冷房装置の特徴は、３の冷却用ラジエタの冷却に沸騰水の気化熱を使うところにある。そのため、冷却水の水量は少なくて済み、しかも常圧（１気圧）に近い圧力で済むので上記パイプや冷却水回収パイプの強度は比較的に少なくても済み、ビニールパイプでも好くなった。【００１１】また、１６の室外部も１００℃の水蒸気を冷却水（１００℃以下）に戻すだけで比較的小さな物で済む。【００１２】なお、１３は装置とパイプをつなぐパイプコネクタである。簡単に取り外しが出来るようにネジ式やロック式（差し込んで少し回すとロックされる方式その他）がある。
【発明の効果】
【００１３】このように冷却水の気化熱を利用することにより蒸気パイプや冷却水回収パイプ内の圧力を外気圧に近い値に保ちことができ、強度の高い金属パイプを使う必要がなくなり、軟らかいビニールのパイプを使用できると共に軽い放熱器と組み合わすことにより、窓から放熱器を出し、窓の隙間からパイプを室内に取り込み簡単に冷房装置設置できる。【００１４】また室外部との間の循環に水（水蒸気）を使うことにより、冷房装置に付き物の、空気中から回収した水を余剰水廃棄詮１５から外に捨てることが出来る。
【発明を実施するための最良の形態】
【００１５】図２は冷房機１４の実施である。図１と異なるところは、熱交換パイプ２２の設置と保護詮２１の設置である。熱交換パイプは熱の再利用のために行い、保護詮はパイプを何かの都合（例えばパイプの上に物を置くとか）で水や蒸気が流れなくなった時の保護である。【００１６】この冷房機１４の外観を図３に表す。４５は窓から出した放熱器の一部が見えていて、３２のパイプ（図５参照）でつながれている。【００１７】３２のパイプの詳細図が図５で内部に蒸気パイプ７と冷却水回収パイプ９を含んでいる。７は１００℃になるので断熱カバー３１でくるんであり、また冷却水回収パイプと共に断熱カバー兼保護カバー３２で包んでいる。【００１８】また室外部１６の実施例の外観図は図４に示す。アルミの放熱パイプ４１を複数本並べ、それぞれにアルミの放熱板４２が付いている。アルミの放熱パイプはビニールパイプ４３で結ばれていて内部には、蒸気パイプ７から供給される水蒸気が通り、通る間に冷やされて冷却水に変わり、冷却水回収パイプ９を通って冷房機に帰る。４４、３５は窓に取り付けるためのものである。
【図面の簡単な説明】
【図１】本発明の基本的な構成
【図２】実地例
【図３】実地例の室内の概念図
【図４】実施例の室外部（室外に設置）の概念図
【図５】実施例の蒸発パイプと冷却水回収パイプの概念図
【符号の説明】
１：冷房用ラジエタ、２：圧縮機、３：冷却用ラジエタ、４：誇張弁、５：冷却水タンク
６：冷却水ポンプ、７：蒸気パイプ、８：放熱器、９：冷却水回収パイプ：１０：調整詮
１１：露回収パイプ、１２：冷却水、１３：パイプコネクタ、１４：冷房機、
１５：余剰水排出詮、１６：室外部（室外のジュール）
２１：保護詮、２２：熱交換パイプ
３１：断熱カバー、３２：断熱カバー（保護カバー）
４１：アルミの放熱パイプ、４２：アルミの放熱板、４３：ビニールパイプ
４４：取り付け金具、４５：取り付け金具
【図１】
2006046881.tif 000003
【図２】
2006046881.tif 000004
【図３】
2006046881.tif 000005
【図４】
2006046881.tif 000006
【図５】
2006046881.tif 000007